(57)【要約】【課題】遊技球の発射方向を適正化でき、またその調整が非熟練者においても容易であり、かつその作業性が高い遊技機の球発射装置を提供する。【解決手段】垂直なベース板１上に形成されたレール取付ブロック３と、このレール取付ブロック３に支持される発射レール４と、ベース板１に取付けられて発射レール４上の遊技球を弾球する弾球槌２と、発射レール４とレール取付ブロック３との間に介在する調整ダイヤル１３とを備え、調整ダイヤル１３には、高さの異なる複数の段部１４を形成するとともに、レール取付ブロック３には、この段部１４が当接する取付部１６を形成し、取付部１６に当接する段部１４を段階的に切り替えることにより、発射レール４の内側面とレール取付ブロック３との間隔を、ベース１板に対して垂直方向に段階的に調整可能とした。【選択図】図２
2016189882.tif 000002
【特許請求の範囲】
【請求項１】
垂直なベース板上に形成されたレール取付ブロックと、
このレール取付ブロックに支持される発射レールと、
前記ベース板に取付けられて前記発射レール上の遊技球を弾球する弾球槌と、
前記発射レールと前記レール取付ブロックとの間に介在する調整ダイヤルとを備え、
前記調整ダイヤルには、高さの異なる複数の段部を形成するとともに、
前記レール取付ブロックには、この段部が当接する取付部を形成し、
前記取付部に当接する段部を段階的に切り替えることにより、前記発射レールの内側面と前記レール取付ブロックとの間隔を、前記ベース板に対して垂直方向に段階的に調整可能としたことを特徴とする遊技機の球発射装置。
【請求項２】
前記レール取付ブロックに形成した固定孔に、前記発射レールを前記調整ダイヤルとともに取付けることを特徴とする請求項１記載の遊技機の球発射装置。
【請求項３】
前記段部に凸部を形成するとともに、前記取付部には、この凸部が嵌合する凹部を形成したことを特徴とする請求項１または２に記載の遊技機の球発射装置。
【発明の詳細な説明】
【技術分野】
【０００１】
本発明は、遊技盤面内に遊技球を発射するための遊技機の球発射装置に関するものである。
【背景技術】
【０００２】
遊技盤面内に遊技球を発射するために、ベース板に形成したレール取付ブロックにより支持される発射レールと、発射レール上の遊技球を弾球する弾球槌とを備えた球発射装置が設けられる。このような球発射装置により発射された遊技球は、発射レールの先に設けられた案内レールによって案内されつつ、遊技盤面内へと送り出される。
【０００３】
しかしながら、球発射装置の構成部品の成形誤差や組付誤差等に起因して、発射レールが遊技盤面に対して平行にならず、遊技球がガラス面側に発射されてしまい、遊技球がガラス面と接触し不快な衝突音が発生する問題があった。
【０００４】
このような問題を解決するために、発射レールが取付けられる発射レール取付部材の先端側に調整ネジ設けることにより、発射レールの傾きを調整するものがある（特許文献１）。この調整ネジを締付方向に回転させると、その先端が発射レール取付部材から突出し、遊技盤面側のボードと当接する。即ち、調整ネジの先端の突出量を調整することで、遊技盤面に対する発射レールの傾きを変化させることができ、これにより遊技球の発射方向を遊技盤面方向とガラス面方向との間で調整自在となる。ところが、調整ネジの回転量を微調整する作業には熟練した技術が必要であり、非熟練者においてはその作業が非常に困難であった。また、調整ネジは振動により緩みが生じ易いという問題もあった。
【０００５】
そこで、調整ネジに代わり、角度調整ブロックを設けることにより非熟練者においても容易に調整作業を行えるものとした技術が開示されている（特許文献２）。しかしながら、特許文献２においては、角度調整ブロックの取付位置を変更する際には、都度発射レールを取外さなければならず、作業性が悪いという問題があった。
【０００６】
また、特許文献１及び２は、発射レールの先端側でのみ発射レールの傾きを調整して遊技球の発射方向を適正化するものであり、発射レールの基端側において遊技球の弾球位置を調整できるものではない。したがって、弾球時に弾球槌が遊技球の真芯を捉えられないことがあるため、例え発射レールの先端側で傾きを調整したとしても、依然として遊技球がガラス面側に発射されてしまう問題があった。
【先行技術文献】
【特許文献】
【０００７】
【特許文献１】特許第３７４１５７７号公報
【特許文献２】特開２０１４−１０４３２９号公報
【発明の概要】
【発明が解決しようとする課題】
【０００８】
本発明の目的は前記した従来の問題点を解決し、遊技球の発射方向を適正化でき、またその調整が非熟練者においても容易であり、かつその作業性が高い遊技機の球発射装置を提供することである。
【課題を解決するための手段】
【０００９】
上記課題を解決するためになされた本発明は、垂直なベース板上に形成されたレール取付ブロックと、このレール取付ブロックに支持される発射レールと、前記ベース板に取付けられて前記発射レール上の遊技球を弾球する弾球槌と、前記発射レールと前記レール取付ブロックとの間に介在する調整ダイヤルとを備え、前記調整ダイヤルには、高さの異なる複数の段部を形成するとともに、前記レール取付ブロックには、この段部が当接する取付部を形成し、前記取付部に当接する段部を段階的に切り替えることにより、前記発射レールの内側面と前記レール取付ブロックとの間隔を、前記ベース板に対して垂直方向に段階的に調整可能としたことを特徴とするものである。
【００１０】
請求項２記載の発明は、請求項１記載の遊技機の球発射装置において、前記レール取付ブロックに形成した固定孔に、前記発射レールを前記調整ダイヤルとともに取付けることを特徴とするものである。
【００１１】
請求項３記載の発明は、請求項１または２に記載の遊技機の球発射装置において、前記段部に凸部を形成するとともに、前記取付部には、この凸部が嵌合する凹部を形成したことを特徴とするものである。
【発明の効果】
【００１２】
本発明に係る遊技機の球発射装置は、調整ダイヤルには、高さの異なる複数の段部を形成するとともに、レール取付ブロックには、この段部が当接する取付部を形成し、取付部に当接する段部を段階的に切り替えることにより、発射レールの内側面とレール取付ブロックとの間隔を、ベース板に対して垂直方向に段階的に調整可能とした。これにより、調整ダイヤルを切り替えることにより、発射レール自体をベース板に対して垂直方向、即ち遊技盤面に対して前後方向に段階的に微調整可能となる。したがって、弾球槌が確実に遊技球の真芯を叩くことができる位置に、発射レールを配置することができるため、遊技球の発射方向を適正化できるものとなる。また、調整ダイヤルを切り替えるという簡単な作業により調整可能であるため、非熟練者においても容易に調整を行うことができる。さらには、調整ダイヤルを切り替える際には、発射レールをわずかに遊技盤面前方に移動させれば良いことから、発射レールを取外す必要もなく、作業性が高いものとなる。
【００１３】
請求項２に係る発明によれば、レール取付ブロックに形成した固定孔に、発射レールを調整ダイヤルとともに取付けるものとした。これにより、発射レールの固定に用いるネジによって調整ダイヤルも同時に固定可能となることから、部品点数を削減することができると同時に、作業性がより向上する。
【００１４】
請求項３に係る発明によれば、段部に凸部を形成するとともに、取付部にはこの凸部が嵌合する凹部を形成した。これにより、ネジの緩みや振動等によって調整ダイヤルが取付部に対してずれてしまうことを防止できるものとなる。
【図面の簡単な説明】
【００１５】
【図１】本実施形態を示す斜視図である。
【図２】本実施形態を示す分解図である。
【図３】本実施形態の発射レール取付状態を示す斜視図である。
【図４】発射レール及びレール取付ブロックの断面図である。
【図５】本実施形態の調整ダイヤルを示す斜視図（ａ）、正面図（ｂ）及び側面図（ｃ）である。
【図６】本実施形態のレール取付ブロックの拡大図である。
【発明を実施するための形態】
【００１６】
以下に本発明の好ましい実施形態を示す。
本発明の遊技球の球発射装置は、図１に示すように、図示しない遊技盤面と平行となるよう垂直に設けられた樹脂製のベース板１と、このベース板１上に設けられ、図示しないロータリソレノイドにより反復運動を行うことで後述する発射レール４上の遊技球を弾球する弾球槌２とを備える。
【００１７】
図２のように、ベース板１の表面には遊技盤面前方に向けて、ブロック状のレール取付ブロック３が立設されており、このレール取付ブロック３に、遊技球を案内するための金属製の発射レール４が取付けられる。図３及び図４に示すように、発射レール４は、遊技球を案内する断面略Ｖ字状の案内部４ａと、案内部４ａの両端から遊技盤面と平行に延びる前方側面４ｂ及び後方側面４ｃとを備える。図２のように、発射レール４の前方側面４ｂには、レール取付ブロック３に形成された凸部５が嵌合する凹部６が形成されている。さらに、前方側面４ｂにはネジ７を挿通する挿通孔８が形成されている。図３のように、発射レール４の後方側面４ｃには、レール取付ブロック３を挿通可能な挿通孔１９が形成されている。また、レール取付ブロック３には、ネジ７が固定される固定孔９が形成されている。したがって、レール取付ブロック３に対して発射レール４をその後方側面４ｃから挿通し、さらに凸部５と凹部６とを嵌合させた状態でネジ７により固定を行うことで、発射レール４はレール取付ブロック３によって支持されることとなる。
【００１８】
図１のように、発射レール４と対向する位置には、発射レール４上に供給された遊技球を弾球位置で保持するための球止めブロック１０が設けられている。なお、１１は弾球後に弾球槌２の基端側が当接するゴムストッパであり、１２は弾球開始前に弾球槌２の先端側が当接するゴムストッパである。
【００１９】
図３のように、発射レール４とレール取付ブロック３との間には、略円板状の樹脂製の調整ダイヤル１３が設けられる。なお、調整ダイヤル１３は金属製であっても差し支えない。この調整ダイヤル１３には、図５（ａ）及び（ｃ）に示すように高さの異なる複数の段部１４が形成されており、１４ａ、１４ｂ、１４ｃの順に高くなるよう形成されている。図５（ｂ）のように、各段部１４ａ、１４ｂ、１４ｃはネジ７を挿通する中心孔１５から扇状に延び、また中心孔１５を中心とした点対称位置に、それぞれ一対に形成されるものとした。なお、この調整ダイヤル１３は、段部１４が形成された側を遊技盤面後方として、レール取付ブロック３に形成した固定孔９に、発射レール４とともにネジ７により固定される。
【００２０】
図６のように、レール取付ブロック３には、段部１４が当接する取付部１６を形成するものとした。この取付部１６は、段部１４と略同一形状に形成するものとし、段部１４ａ、１４ｂ、１４ｃの何れか１つのみが当接可能である。
【００２１】
以上の構成により、取付部１６に当接する段部１４を段階的に切り替えることにより、調整ダイヤル１３の裏面の高さ位置が段階的に変化する。この調整ダイヤル１３は発射レール４とレール取付ブロック３との間に介在するものであるため、その裏面の高さ位置が変化すれば、発射レール４の前方側面４ｂの内側面と取付部１６、即ちレール取付ブロック３との間隔が、ベース板１に対して垂直方向に調整されることとなる。これにより、調整ダイヤル１３を切り替えることにより、発射レール４自体をベース板１に対して垂直方向、即ち遊技盤面に対して前後方向に段階的に微調整可能となる。したがって、弾球槌２が確実に遊技球の真芯を叩くことができる位置に発射レール４を配置することができるため、遊技球の発射方向を適正化できるものとなる。また、調整ダイヤル１３を切り替えるという簡単な作業により調整可能であるため、非熟練者においても容易に調整を行うことができる。さらには、調整ダイヤル１３を切り替える際には、ネジ７を緩めた上で発射レールをわずかに遊技盤面前方に移動させれば良いことから、発射レールを取外す必要もなく、作業性が高いものとなる。
【００２２】
なお、本実施形態では、調整ブロック１３に３つの異なる高さの段部１４を形成することにより３段階で発射レールの取付位置を調整するものとしたが、４つ以上の異なる高さの段部１４を形成し、さらに細かく発射レールの取付位置を微調整できるものとしても良い。また、各段部１４は中心孔１５を中心とした点対称位置に一対に形成するものに限定されず、段部１４が取付部１６と当接することで段階的に調整ダイヤル１３の裏面の高さ位置を変更できるものであれば良い。
【００２３】
また、前述のように調整ダイヤル１３をネジ７に発射レール４とともにレール取付ブロック３に固定するものとしたことにより、部品点数を削減することができると同時に、作業性がより向上する。
【００２４】
図５に示すように、各段部１４には凸部１７を形成し、さらに図６に示すように、取付部１６にはこの凸部１７が嵌合する凹部１８を形成するものとした。これにより、ネジの緩みや振動等によって調整ダイヤル１３が取付部１６に対してずれてしまうことを防止できるものとなる。また、この凸部１７及び凹部１８は、調整ダイヤル１３を切り替える際の位置決めとしても機能するものである。
【符号の説明】
【００２５】
１  ベース板
２  弾球槌
３  レール取付ブロック
４  発射レール
５  凸部
６  凹部
７  ネジ
８  挿通孔
９  固定孔
１０  球止めブロック
１１  ゴムストッパ
１２  ゴムストッパ
１３  調整ダイヤル
１４  段部
１５  中心孔
１６  取付部
１７  凸部
１８  凹部
１９  挿通孔
【図１】
2016189882.tif 000003
【図２】
2016189882.tif 000004
【図３】
2016189882.tif 000005
【図４】
2016189882.tif 000006
【図５】
2016189882.tif 000007
【図６】
2016189882.tif 000008